(57)【要約】  ショートメッセージサービスに準拠したテキストの送受信及び電子メールの送受信をすることが可能なメールアドレス自動添付端末装置が、当該メールアドレス自動添付端末装置の電子メールアドレスを記憶しておく。利用者からの操作を受け付ける。受け付けた操作内容から前記ショートメッセージサービスに準拠したテキストを生成することを検知した場合に、前記電子メールアドレスを取得し、当該取得した電子メールアドレスを当該生成したテキストに挿入する。前記挿入が終了後に前記生成したテキストを相手方端末に送信する。
2011105398.tif 000002
【特許請求の範囲】
【請求項１】
ショートメッセージサービスに準拠したテキストの送受信及び電子メールの送受信をすることが可能なメールアドレス自動添付端末装置において、
当該メールアドレス自動添付端末装置の電子メールアドレスを記憶しておく記憶手段と、
利用者からの操作を受け付ける入力手段と、
前記入力手段が受け付けた操作内容から前記ショートメッセージサービスに準拠したテキストを生成することを検知した場合に、前記記憶手段から前記電子メールアドレスを取得し、当該取得した電子メールアドレスを当該生成したテキストに挿入するメールアドレス添付手段と、
前記挿入が終了後に前記生成したテキストを相手方端末に送信する通信手段と、
を備えることを特徴とするメールアドレス自動添付端末装置。
【請求項２】
請求項１に記載のメールアドレス自動添付端末装置において、
前記記憶手段は、前記電子メールアドレスを前記生成したテキストへの挿入を行うか否かについての情報である設定情報を更に記憶しており、
前記メールアドレス添付手段は、前記設定情報の内容がテキストの挿入を行うという内容だった場合のみ前記挿入を行うことを特徴とするメールアドレス自動添付端末装置。
【請求項３】
請求項２に記載のメールアドレス自動添付端末装置において、
前記電子メールアドレスが変更された場合は、前記設定情報の内容をテキストの挿入を行うという内容に切り替えることを特徴とするメールアドレス自動添付端末装置。
【請求項４】
請求項１乃至３の何れか１項に記載のメールアドレス自動添付端末装置において、
前記電子メールアドレスに加えて、当該電子メールアドレス宛に電子メールを返信してくれるように促す旨の文章も挿入することを特徴とするメールアドレス自動添付端末装置。
【請求項５】
ショートメッセージサービスに準拠したテキストの送受信及び電子メールの送受信をすることが可能な端末装置が行うメールアドレス自動添付方法において、
当該端末装置の電子メールアドレスを記憶しておく記憶部を用意するステップと、
利用者からの操作を受け付ける入力ステップと、
前記入力ステップが受け付けた操作内容から前記ショートメッセージサービスに準拠したテキストを生成することを検知した場合に、前記記憶部から前記電子メールアドレスを取得し、当該取得した電子メールアドレスを当該生成したテキストに挿入するメールアドレス添付ステップと、
前記挿入が終了後に前記生成したテキストを相手方端末に送信する通信ステップと、
を備えることを特徴とするメールアドレス自動添付方法。
【請求項６】
請求項５に記載のメールアドレス自動添付方法において、
前記記憶部は、前記電子メールアドレスを前記生成したテキストへの挿入を行うか否かについての情報である設定情報を更に記憶しており、
前記メールアドレス添付ステップは、前記設定情報の内容がテキストの挿入を行うという内容だった場合のみ前記挿入を行うことを特徴とするメールアドレス自動添付方法。
【請求項７】
請求項６に記載のメールアドレス自動添付方法において、
前記電子メールアドレスが変更された場合は、前記設定情報の内容をテキストの挿入を行うという内容に切り替えることを特徴とするメールアドレス自動添付方法。
【請求項８】
請求項５乃至７の何れか１項に記載のメールアドレス自動添付方法において、
前記電子メールアドレスに加えて、当該電子メールアドレス宛に電子メールを返信してくれるように促す旨の文章も挿入することを特徴とするメールアドレス自動添付方法。
【請求項９】
ショートメッセージサービスに準拠したテキストの送受信及び電子メールの送受信をすることが可能な端末装置に組み込まれるメールアドレス自動添付プログラムにおいて、
当該端末装置の電子メールアドレスを記憶しておく記憶手段と、
利用者からの操作を受け付ける入力手段と、
前記入力手段が受け付けた操作内容から前記ショートメッセージサービスに準拠したテキストを生成することを検知した場合に、前記記憶手段から前記電子メールアドレスを取得し、当該取得した電子メールアドレスを当該生成したテキストに挿入するメールアドレス添付手段と、
前記挿入が終了後に前記生成したテキストを相手方端末に送信する通信手段と、
を備える端末装置としてコンピュータを機能させることを特徴とするメールアドレス自動添付プログラム。
【発明の詳細な説明】
【技術分野】
【０００１】
本発明は携帯電話機やＰＨＳ（Personal Handy-phone System）にて使用されるＳＭＳ（Short Message Service）に準拠した通信に関し、より詳細には電子メールアドレスの送信に関する。
【背景技術】
【０００２】
現在、携帯電話機はその利便性から広く一般に普及している。また、携帯電話機を用いたメールによる文章のやり取りも日常的に行われている。【０００３】
この点、携帯電話機にはショートメッセージサービス（SMS: Short Message Service）に準拠したテキスト（以下、適宜「ＳＭＳメール」と呼ぶ。なお、ＳＭＳメールはText Messageと表現されることもある。）を送受信する機能を有している機種が多く存在する。そしてＳＭＳメールは文字数に制限こそあるが、相手方の電話番号さえ分かれば文章を送信することが可能であり、利便性に優れている。【０００４】
現在、日本ではＳＭＳメールが送受信できるのは同じキャリアに加入しているもの同士に限られる。そこで、例えば特許文献１では、電話帳内の電話番号から自身の携帯電話機の加入しているキャリアと同一のキャリアの電話番号のみを抽出するという技術が存在する（例えば特許文献１参照）。
【先行技術文献】
【特許文献】
【０００５】
【特許文献１】特開２０１０−３４９２８号公報
【発明の概要】
【発明が解決しようとする課題】
【０００６】
上述のように、ＳＭＳメールは普及しており、今後は、異なるキャリア間であってもＳＭＳメールを送受信できるようになることが予定されている。よって、特許文献１に記載の技術等を用いる必要もなくなりＳＭＳメールはますます身近なものになると考えられる。【０００７】
このように、ＳＭＳメールは相手方の携帯電話番号を知っていれば電子メールアドレスを知らなくてもテキストメールを送信可能な便利なサービスである。しかしながらＳＭＳメールが送信できるのはテキストのみであり、文字数等のいろいろな制約がある。【０００８】
そのため、静止画像や絵文字を使用できる電子メール（electronic mail：e-mail、Eメールと呼ばれることもある。）を使用したいという場面もある。この点、電子メールを送信する場合には相手方の電子メールアドレスを入手する必要がある。そして、電子メールのアドレスの授受には、赤外線通信や紙面でのやり取り又は通話による口頭でのやり取りが必要となり煩雑である。【０００９】
そこで、本発明は電話番号のみ分かる相手方と容易に電子メールアドレスのやり取りをすることが可能な、メールアドレス自動添付機能を有する端末装置、メールアドレス自動添付方法及びそのプログラムを提供することを目的とする。
【課題を解決するための手段】
【００１０】
本発明の第１の観点によれば、ショートメッセージサービスに準拠したテキストの送受信及び電子メールの送受信をすることが可能なメールアドレス自動添付端末装置において、当該メールアドレス自動添付端末装置の電子メールアドレスを記憶しておく記憶手段と、利用者からの操作を受け付ける入力手段と、前記入力手段が受け付けた操作内容から前記ショートメッセージサービスに準拠したテキストを生成することを検知した場合に、前記記憶手段から前記電子メールアドレスを取得し、当該取得した電子メールアドレスを当該生成したテキストに挿入するメールアドレス添付手段と、前記挿入が終了後に前記生成したテキストを相手方端末に送信する通信手段と、を備えることを特徴とするメールアドレス自動添付端末装置が提供される。【００１１】
本発明の第２の観点によれば、ショートメッセージサービスに準拠したテキストの送受信及び電子メールの送受信をすることが可能な端末装置が行うメールアドレス自動添付端末方法において、当該端末装置の電子メールアドレスを記憶しておく記憶部を用意するステップと、利用者からの操作を受け付ける入力ステップと、前記入力ステップが受け付けた操作内容から前記ショートメッセージサービスに準拠したテキストを生成することを検知した場合に、前記記憶部から前記電子メールアドレスを取得し、当該取得した電子メールアドレスを当該生成したテキストに挿入するメールアドレス添付ステップと、前記挿入が終了後に前記生成したテキストを相手方端末に送信する通信ステップと、を備えることを特徴とするメールアドレス自動添付端末方法が提供される。【００１２】
本発明の第３の観点によれば、ショートメッセージサービスに準拠したテキストの送受信及び電子メールの送受信をすることが可能な端末装置に組み込まれるメールアドレス自動添付端末プログラムにおいて、当該端末装置の電子メールアドレスを記憶しておく記憶手段と、利用者からの操作を受け付ける入力手段と、前記入力手段が受け付けた操作内容から前記ショートメッセージサービスに準拠したテキストを生成することを検知した場合に、前記記憶手段から前記電子メールアドレスを取得し、当該取得した電子メールアドレスを当該生成したテキストに挿入するメールアドレス添付手段と、前記挿入が終了後に前記生成したテキストを相手方端末に送信する通信手段と、を備える端末装置としてコンピュータを機能させることを特徴とするメールアドレス自動添付端末プログラムが提供される。
【発明の効果】
【００１３】
本発明によれば、ＳＭＳメールに電子メールアドレスを添付することから電話番号のみ分かる相手方と容易に電子メールアドレスのやり取りをすることが可能となる。
【図面の簡単な説明】
【００１４】
【図１】本発明の実施形態の基本的構成を表す図である。
【図２】本発明の実施形態における第１の端末装置１００の基本的構成を示すブロック図である。
【図３】本発明の実施形態の基本的動作を表すフローチャートである。
【図４】本発明の実施形態におけるＳＭＳメールの一例を示す図である。
【符号の説明】
【００１５】
１００  第１の端末装置
１０１  表示部
１０２  メール生成部
１０３  通信部
１０４  入力受付部
１０５  メールアドレス添付部
１０６  メールアドレス設定記憶部
２００  第２の端末装置
３００  無線通信網
【発明を実施するための形態】
【００１６】
まず、本発明の実施形態の概略を説明する。本発明の実施形態は、概略、携帯電話機やＰＨＳにて使用されるＳＭＳに準拠した通信において送信時に当該携帯電話機等の電子メールアドレスを自動的に添付して送信するというものである。
【００１７】
具体的には、送信者がまずＳＭＳにてメールアドレスを送信することにより相手方は送信者のメールアドレスを知ることになる。そして、相手方から電子メールを送信してもらうことにより元の送信者は相手方の電子メールを受領することができることとなる。
【００１８】
次に、本発明の実施形態について図面を用いて詳細に説明する。図１を参照すると本発明の実施形態は、第１の端末装置１００、第２の端末装置２００及び無線通信網３００を有する。
【００１９】
第１の端末装置１００及び第２の端末装置２００は、例えば携帯電話機である。もっとも、本願発明の実施形態の適用対象は携帯電話機に限定されるものではない。例えば第１の端末装置１００及び第２の端末装置２００が、ＰＨＳ等の端末であってもよい。
【００２０】
第１の端末装置１００と、第２の端末装置２００は無線通信網３００を介して相互に無線通信を行う。無線通信網３００は例えば基地局や交換機等の装置により実現される。なお、第１の端末装置１００と、第２の端末装置２００はショートメッセージサービスに準拠した通信及び電子メールによる通信の２種類の通信を行う機能を有している。
【００２１】
次に、図２を参照して第１の端末装置１００の構成について説明する。なお、第２の端末装置２００は、第１の端末装置１００と同様の構成であってもよいし、メールアドレス添付部１０５やメールアドレス設定記憶部１０６は有しておらず、ショートメッセージサービスに準拠した通信及び電子メールによる通信の２種類の通信が行えるだけの構成であってもよい。
【００２２】
図２を参照すると第１の端末装置１００は、表示部１０１、メール生成部１０２、通信部１０３、入力受付部１０４、メールアドレス添付部１０５及びメールアドレス設定記憶部１０６を有する。
【００２３】
表示部１０１は、利用者に情報を提示するための部分であり、具体的にはＬＣＤ（Liquid Crystal Display）や、有機エレクトロルミネッセンス（Organic Electro-Luminescence）ディスプレイである。
【００２４】
メール生成部１０２は、入力受付部１０４及びメールアドレス添付部１０５からの情報を用いて電子メールを生成する部分である。メール生成部１０２が生成した又は生成中の電子メールは表示部１０１に表示される。
【００２５】
通信部１０３は、無線通信を行うための部分であり、アンテナ等のデバイスにより実現される。第１の端末装置１００は、通信部１０３を用いて外部との通信を行う。
【００２６】
入力受付部１０４は、利用者からの入力（操作）を受け付ける部分である。具体的にはテンキー等に代表される入力装置である。なお、表示部１０１及び入力受付部１０４を一体として例えばタッチパネルとして入力受付部１０４を実現させるようにしてもよい。
【００２７】
メールアドレス添付部１０５は、利用者の作成した電子メールにメールアドレスを添付する部分である。
【００２８】
メールアドレス設定記憶部１０６は第１の端末装置１００の電子メールアドレス及び電子メールアドレスの添付を自動的に行うか否かの設定を記憶している部分である。
【００２９】
なお、図２に示す各部は第１の端末装置１００が有する各部のうち、本実施形態に特に関係する部分のみである。第１の端末装置１００は、一般的な携帯電話機等として動作するために電源等の図示を省略した部分を有している。
【００３０】
また、図２に示す各部はハードウェアにより実現することもできるが、第１の端末装置１００が有する演算処理装置が、プログラムを読み込み、実行することによっても実現できる。
【００３１】
次に、図３のフローチャートを参照して本願発明の実施形態の動作について詳細に説明する。
【００３２】
まず入力受付部１０４が利用者からのＳＭＳメール作成に関する操作を受け付ける（ステップＳ１０）。メール作成部１０２は、この操作に応じた内容の情報を表示部１０１に表示させる（ステップＳ１１）。ＳＭＳメールの本文については一般的な技術と同様に利用者がテキストデータを作成する。
【００３３】
一方、ＳＭＳメール作成に関する操作があったことを検知したメールアドレス添付部１０５は、メールアドレス設定記憶部１０６を参照して電子メールのアドレスの添付を自動的に行うか否かの設定を確認する（ステップＳ１２）。
【００３４】
ここで、電子メールのアドレスの添付を自動的に行う設定であった場合は（ステップＳ１２においてＹｅｓ）、ステップＳ１３に進む。一方、電子メールのアドレスの添付を自動的に行わないという設定の場合は（ステップＳ１２においてＮｏ）は、動作を終了する。この場合は、利用者が作成したＳＭＳメールがそのまま送信されることとなる。なお、電子メールのアドレスの添付を自動的に行うか否かの設定は、予め利用者が設定しておくものとする。
【００３５】
また、設定は利用者が行うだけではなく、例えば添付を自動的に行わない設定の場合でも電子メールアドレスの変更が有った場合は添付を自動的に行うように設定が切り替えられるようにしてもよい。
【００３６】
また、利用者が設定を行うのではなく必ず電子メールのアドレスが自動的に添付されるようにしてもよい。この場合ステップＳ１２は省略され、ステップＳ１１に続いてステップＳ１３の動作が行われることとなる。さらに、予め設定されているのではなく、ＳＭＳメールの作成の都度、利用者に添付するか否かを確認するようにしてもよい。
【００３７】
次に、ステップＳ１３ではメールアドレス添付部１０５がメールアドレス設定記憶部１０６から第１の端末装置１００の電子メールアドレスを読み込み、読み込んだ電子メールアドレスを利用者の作成しているＳＭＳメールの文末（本文の最終行）に挿入することにより、添付を行う。電子メールアドレスが挿入されたＳＭＳメールの具体例を図４に示す。図４を参照すると文末にすでに登録されている第１の端末装置１００の電子メールアドレス「tokkyo@***.jp.nec.com」が挿入されていることが分かる。なお電子メールアドレスが文末ではなく文頭に挿入されるようにしてもよい。
【００３８】
電子メールアドレスが挿入されたＳＭＳメールが完成すると、このＳＭＳメールは通信部１０３及び無線通信網３００を介して第２の端末装置２００に送信される（ステップＳ１４）。
【００３９】
第２の端末装置２００の利用者である受信者は、ＳＭＳで送信された場合に、返信もＳＭＳで送信することもできるが、本文に記載されている電子メールアドレスを選択することにより返信については電子メールを使用することができる（ステップＳ１５）。
【００４０】
そして、第２の端末装置２００からの電子メールによる返信を第１の端末装置１００が受信することにより（ステップＳ１６）、第１の端末装置１００の利用者は、第２の端末装置２００の電子メールアドレスを知ることができる。なお、第２の端末装置２００の利用者に電子メールでの返信を促すために、テキストに「下記電子メールアドレスに返信下さい。」といった主旨の文章を追加してもよいし、第１の端末装置１００の電子メールアドレスに加えて上記の主旨の文章も自動的に挿入されるようにしてもよい。
【００４１】
以上説明した本発明の実施形態は、以下に示すような多くの効果を奏する。
【００４２】
第１の効果は赤外線通信や紙等を使用しないで電話番号しか知らない相手に電子メールアドレスを簡単に伝えることができることである。
【００４３】
その理由は、ＳＭＳメールに電子メールのアドレスを自動的に添付するからである。
【００４４】
第２の効果はＳＭＳメールを参照して電子メールアドレスを入手することができることである。
【００４５】
その理由は、電子メールのアドレスが添付されているＳＭＳメールを受信することができるからである。
【００４６】
第３の効果は電話番号しか知らない相手の電子メールアドレスを知ることができるからである。
【００４７】
その理由は、電子メールのアドレスを自動的に添付したＳＭＳメールの受信者から電子メールによる返信を受けることができるからである。
【００４８】
なお、本発明の実施形態によるメールアドレス自動添付方法は、ハードウェアにより実現することもできるが、コンピュータにその方法を実行させるためのプログラムをコンピュータがコンピュータ読み取り可能な記録媒体から読み込んで実行することによっても実現することができる。
【００４９】
更に、上記実施形態では、プログラムが、端末装置に予め記憶されているものとして説明した。しかし、コンピュータを、端末装置の全部又は一部として動作させ、あるいは、上述の処理を実行させるためのプログラムを、フレキシブルディスク、ＣＤ−ＲＯＭ（Compact Disc Read-Only Memory）、ＤＶＤ（Digital Versatile Disc)、ＭＯ（Magneto Optical Disk(Disc)）ＢＤ（Blu-ray Disc）等のコンピュータ読み取り可能な記録媒体に格納して配布し、これを別のコンピュータにインストールし、上述の手段として動作させ、あるいは、上述の工程を実行させてもよい。
さらに、インターネット上のサーバ装置が有するディスク装置等にプログラムを格納しておき、例えば、搬送波にプログラムを重畳させて、コンピュータにダウンロード等してプログラムを実行してもよい。
【００５０】
また、上述した実施形態は、本発明の好適な実施形態ではあるが、上記実施形態のみに本発明の範囲を限定するものではなく、本発明の要旨を逸脱しない範囲において種々の変更を施した形態での実施が可能である。
【００５１】
本発明の代表的な実施形態が詳細に述べられたが、様々な変更(changes)、置き換え(substitutions)及び選択(alternatives)が請求項で定義された発明の精神と範囲から逸脱することなくなされることが理解されるべきである。また、仮にクレーム場出願手続きにおいて補正されたとしても、クレームされた発明の均等の範囲は維持されるものと発明者は意図する。
【００５２】
本願は、日本の特願２０１０−０３７２７７（２０１０年２月２３日に出願）に基づいたものであり、又、特願２０１０−０３７２７７に基づくパリ条約の優先権を主張するものである。特願２０１０−０３７２７７の開示内容は、特願２０１０−０３７２７７を参照することにより本明細書に援用される。
【００５３】
上記の実施形態の一部又は全部は、以下の付記のようにも記載されうるが、以下には限られない。
【００５４】
（付記１）  ショートメッセージサービスに準拠したテキストの送受信及び電子メールの送受信をすることが可能なメールアドレス自動添付端末装置において、
当該メールアドレス自動添付端末装置の電子メールアドレスを記憶しておく記憶手段と、
利用者からの操作を受け付ける入力手段と、
前記入力手段が受け付けた操作内容から前記ショートメッセージサービスに準拠したテキストを生成することを検知した場合に、前記記憶手段から前記電子メールアドレスを取得し、当該取得した電子メールアドレスを当該生成したテキストに挿入するメールアドレス添付手段と、
前記挿入が終了後に前記生成したテキストを相手方端末に送信する通信手段と、
を備えることを特徴とするメールアドレス自動添付端末装置。
【００５５】
（付記２）  付記１に記載のメールアドレス自動添付端末装置において、
前記記憶手段は、前記電子メールアドレスを前記生成したテキストへの挿入を行うか否かについての情報である設定情報を更に記憶しており、
前記メールアドレス添付手段は、前記設定情報の内容がテキストの挿入を行うという内容だった場合のみ前記挿入を行うことを特徴とするメールアドレス自動添付端末装置。
【００５６】
（付記３）  付記２に記載のメールアドレス自動添付端末装置において、
前記電子メールアドレスが変更された場合は、前記設定情報の内容をテキストの挿入を行うという内容に切り替えることを特徴とするメールアドレス自動添付端末装置。
【００５７】
（付記４）  付記１乃至３の何れかに記載のメールアドレス自動添付端末装置において、
前記電子メールアドレスに加えて、当該電子メールアドレス宛に電子メールを返信してくれるように促す旨の文章も挿入することを特徴とするメールアドレス自動添付端末装置。
【００５８】
（付記５）  ショートメッセージサービスに準拠したテキストの送受信及び電子メールの送受信をすることが可能な端末装置が行うメールアドレス自動添付方法において、
当該端末装置の電子メールアドレスを記憶しておく記憶部を用意するステップと、
利用者からの操作を受け付ける入力ステップと、
前記入力ステップが受け付けた操作内容から前記ショートメッセージサービスに準拠したテキストを生成することを検知した場合に、前記記憶部から前記電子メールアドレスを取得し、当該取得した電子メールアドレスを当該生成したテキストに挿入するメールアドレス添付ステップと、
前記挿入が終了後に前記生成したテキストを相手方端末に送信する通信ステップと、
を備えることを特徴とするメールアドレス自動添付方法。
【００５９】
（付記６）  付記５に記載のメールアドレス自動添付方法において、
前記記憶部は、前記電子メールアドレスを前記生成したテキストへの挿入を行うか否かについての情報である設定情報を更に記憶しており、
前記メールアドレス添付ステップは、前記設定情報の内容がテキストの挿入を行うという内容だった場合のみ前記挿入を行うことを特徴とするメールアドレス自動添付方法。
【００６０】
（付記７）  付記６に記載のメールアドレス自動添付方法において、
前記電子メールアドレスが変更された場合は、前記設定情報の内容をテキストの挿入を行うという内容に切り替えることを特徴とするメールアドレス自動添付方法。
【００６１】
（付記８）  付記５乃至７の何れかに記載のメールアドレス自動添付方法において、
前記電子メールアドレスに加えて、当該電子メールアドレス宛に電子メールを返信してくれるように促す旨の文章も挿入することを特徴とするメールアドレス自動添付方法。
【００６２】
（付記９）  ショートメッセージサービスに準拠したテキストの送受信及び電子メールの送受信をすることが可能な端末装置に組み込まれるメールアドレス自動添付プログラムにおいて、
当該端末装置の電子メールアドレスを記憶しておく記憶手段と、
利用者からの操作を受け付ける入力手段と、
前記入力手段が受け付けた操作内容から前記ショートメッセージサービスに準拠したテキストを生成することを検知した場合に、前記記憶手段から前記電子メールアドレスを取得し、当該取得した電子メールアドレスを当該生成したテキストに挿入するメールアドレス添付手段と、
前記挿入が終了後に前記生成したテキストを相手方端末に送信する通信手段と、
を備える端末装置としてコンピュータを機能させることを特徴とするメールアドレス自動添付プログラム。
【００６３】
（付記１０）  付記９に記載のメールアドレス自動添付プログラムにおいて、
前記記憶手段は、前記電子メールアドレスを前記生成したテキストへの挿入を行うか否かについての情報である設定情報を更に記憶しており、
前記メールアドレス添付手段は、前記設定情報の内容がテキストの挿入を行うという内容だった場合のみ前記挿入を行うことを特徴とするメールアドレス自動添付プログラム。
【００６４】
（付記１１）  付記１０に記載のメールアドレス自動添付プログラムにおいて、
前記電子メールアドレスが変更された場合は、前記設定情報の内容をテキストの挿入を行うという内容に切り替えることを特徴とするメールアドレス自動添付プログラム。
【００６５】
（付記１２）  付記１０乃至１１の何れかに記載のメールアドレス自動添付プログラムにおいて、
前記電子メールアドレスに加えて、当該電子メールアドレス宛に電子メールを返信してくれるように促す旨の文章も挿入することを特徴とするメールアドレス自動添付プログラム。
【図１】
2011105398.tif 000003
【図２】
2011105398.tif 000004
【図３】
2011105398.tif 000005
【図４】
2011105398.tif 000006
【国際調査報告】
2011105398.tif 000007
2011105398.tif 000008